(57)【要約】本発明は、低染料量のインク組成物における使用に適合し、塩を含まず、且つオリフィスプレートでの液溜まりの低減を実現するインクビヒクル組成物及びシステムに関する。詳細には、低染料量のインクジェットインクのための非反応性インクビヒクルは、有効量の水と、当該インクビヒクルが全体で少なくとも２０ｗｔ％の共溶媒を含むという条件付で、重量で１％〜３％の１，５−ペンタンジオール共溶媒と、重量で７．５％〜１５％のトリメチロールプロパン共溶媒と、重量で５％〜８％の第３の共溶媒とから構成することができる。あるいはまた、低染料量のインクジェットインクのための非反応性インクビヒクルは、有効量の水と、重量で１％〜３％の１，５−ペンタンジオール共溶媒と、重量で７．５％〜１５％のトリメチロールプロパン共溶媒と、本質的に２−アミノ−２−（ヒドロキシメチル）−１，３−プロパンジオールからなる、重量で０．０５％〜０．２５％の緩衝剤とから構成することができる。これらのインクジェットインクビヒクルは、共通のサービスステーションを備える交換可能なインクジェットペンシステムに用いることができる。【特許請求の範囲】
【請求項１】
有効量の水と、
前記インクビヒクルが全体で少なくとも２０ｗｔ％の共溶媒を含むという条件付で、
重量で１％〜３％の１，５−ペンタンジオール共溶媒と、
重量で７．５％〜１５％のトリメチロールプロパン共溶媒と、
重量で５％〜８％の第３の共溶媒と、
を含む、低染料量のインクジェットインクのための非反応性インクビヒクル。
【請求項２】
有効量の水と、
重量で１％〜３％の１，５−ペンタンジオール共溶媒と、
重量で７．５％〜１５％のトリメチロールプロパン共溶媒と、
本質的に２−アミノ−２−（ヒドロキシメチル）−１，３−プロパンジオールからなる、重量で０．０５％〜０．２５％の緩衝剤と、
を含む、低染料量のインクジェットインクのための非反応性インクビヒクル。
【請求項３】
さらに、重量で７．５％〜１５％の第３の共溶媒を含む、請求項２記載の非反応性インクビヒクル。
【請求項４】
前記第３の共溶媒が、前記第３の共溶媒の何れにおいても１０個を越える炭素は存在しないという条件付で、脂肪族アルコール、芳香族アルコール、ジオール、グリコールエーテル、ポリグリコールエーテル、ピロリジン、ピロリジノン、及びそれらの混合物から成る群から選択される、請求項１又は３記載の非反応性インクビヒクル。
【請求項５】
前記第３の共溶媒が、２−ピロリジノンである、請求項４記載の非反応性インクビヒクル。
【請求項６】
さらに、重量で１％〜３％の１つ以上の非イオン界面活性剤と、重量で０．１％〜１％の１つ以上の陰イオン界面活性剤とを含む、請求項１又は２記載の非反応性インクビヒクル。
【請求項７】
さらに、重量で０．０５％〜０．２５％の２−アミノ−２−（ヒドロキシメチル）−１，３−プロパンジオールから本質的に成る緩衝剤を含む、請求項１記載の非反応性インクビヒクル。
【請求項８】
前記インクビヒクルが、重量で０．１％〜２％の含金属アゾイミダゾール含有のマゼンタ染料又はＤｉｒｅｃｔ  Ｂｌｕｅ  １９９と共に使用できるよう構成されている、請求項１又は２記載の非反応性インクビヒクル。
【請求項９】
前記インクビヒクルが、重量で２％〜４％の含金属ビスアゾブラック染料と共に使用できるよう構成されている、請求項１又は２記載の非反応性インクビヒクル。
【請求項１０】
顔料系インクジェットインクを含む第１のインクジェットペンと、
前記顔料系インクジェットインクと実質的に反応しない染料系インクジェットインクを含む第２のインクジェットペンと、
前記第１のインクジェットペン及び前記第２のインクジェットペンを使用できるよう構成された単一のサービスステーションと、
を含む、単一のサービスステーションと共に使用するための交換可能なインクジェットペンを備えるシステム。
【請求項１１】
前記第１のインクジェットペンの使用及び除去後に前記単一のサービスステーションに残っている残余の顔料系インクジェットインクが、前記単一サービスステーションにおける前記第２のインクジェットペンの使用時に染料系インクジェットインクと実質的に反応しないか、又は前記第２のインクジェットペンの使用及び除去後に前記単一のサービスステーションに残っている残余の染料系インクジェットインクが、前記単一サービスステーションにおける前記第１のインクジェットペンの使用時に顔料系インクジェットインクと実質的に反応しない、請求項１０記載のシステム。
【請求項１２】
前記染料系インクジェットインクが、
ａ）重量で０．１％〜４％の染料と、
ｂ）下記成分
i）有効量の水
ii）重量で１％〜３％の１，５−ペンタンジオール共溶媒、
iii）重量で７．５％〜１５％のトリメチロールプロパン共溶媒、
iv）インクビヒクルが全体で少なくとも２０ｗｔ％の共溶媒を含むという条件付で、重量で５％〜８％の第３の共溶媒、
v）重量で０．０５％〜０．２５％の２−アミノ−２−（ヒドロキシメチル）−１，３−プロパンジオール緩衝剤、及び
ｖｉ）重量で１％〜５％の界面活性剤成分
を含んで成るインクビヒクルと、
を含む、請求項１０記載のシステム。
【請求項１３】
前記顔料系インクジェットインクが、有効量のアクリレート分散剤を含む、請求項１０記載のシステム。
【発明の詳細な説明】
【技術分野】
【０００１】
本発明は、インクジェット画像形成の分野に関する。より詳細には、本発明は、低染料量のインクにおける使用に適合し、塩を含まず、且つオリフィスプレートでの液溜まりの低減を実現する、インクジェットインクビヒクルに関する。
【背景技術】
【０００２】
近年、コンピュータプリンタの技術は、紙を含む各種媒体に高分解能の画像を転写できるところまで発達した。１つの詳細な印刷方式は、ディジタル信号に応答して媒体表面上に液体インクの小滴を配置させることに関連している。典型的には、印刷装置と表面間に物理的接触の無い状態で、前記表面上に液体インクを配置させるか又は噴射させる。この一般的な技術においても、印刷表面上にインクジェットインクを付着させる特有の方法は、システムによって様々であり、連続インク付着とドロップオンデマンドインク付着が含まれ得る。
【０００３】
連続印刷システムに関しては、使用されるインクは、典型的に、メチルエチルケトン及びエタノールのような溶媒をベースとしている。本質的に、連続印刷システムは、プリンタノズルによってインク液滴の流れを射出し且つ方向付けるよう機能するものである。インク滴は、さらに、ノズルに近接した静電荷電装置の支援によってもまた方向決めされる。インクが所望の印刷表面上で使用されない場合は、そのインクは後の使用において使えるようにリサイクルされる。ドロップオンデマンド型印刷システムに関しては、インクジェットインクは、典型的に、水とグリコールのような溶媒をベースとしている。本質的に、これらのシステムでは、インク滴は、熱によるか又は圧力波によってノズルから送り出され、当該射出されたインク滴の全てが印刷画像形成に使われるようになっている。
【０００４】
インクジェット印刷が、種々の媒体表面、特に紙、の上に画像を記録する主要な方法となったのにはいくつか理由がある。それらの幾つかの理由として、プリンタ騒音の低さ、高速記録及び多色記録できること、が挙げられる。加えて、これらの利点は、使用者にとって比較的低価格で実現できる。しかしながら、大きな改善がなされてきたインクジェット印刷ではあるが、この改善に従って、当分野の使用者による諸要求、例えば、より高速、より高分解能、フルカラー画像形成、高安定性等、に関する要望も高まってきている。
【０００５】
一般的に、インクジェットインクは、染料系又は顔料系の何れかである。両方とも、典型的には、染料及び／又は顔料を含んでいるインクビヒクルとして調製される。染料系インクジェットインクは、一般に、通常は水をベースとした液体着色剤を用いて媒体を特定の色に変化させる。対照的に、顔料系インクは、典型的に、固体の又は分散状態の着色剤を用いて色をもたらす。
【発明の開示】
【発明が解決しようとする課題】
【０００６】
インクジェット印刷にとって望ましい多くの性質には、表面上の画像のエッジ尖鋭度及び光学濃度、基材上でのインクの良好な乾燥時間、基材への付着性、発射時にインク滴に偏りが無いこと、全ドットが存在すること、水及びその他の溶媒に対する乾燥後のインクの抵抗性、長期保管安定性、十分なドットサイズとドットゲイン、カラー対カラーのにじみの軽減、許容できるコアレッセンス、腐食又はノズル詰まりの無い長期信頼性、十分な耐光性、十分な耐水性、低い湿り色相シフト、及びその他の既知特性が含まれる。多くのインクは、上述の特性の幾つかを有することが知られている。しかしながら、１つの特性を改善することによって、多くの場合、別の特性が低下してしまうため、これらの特性の全てを有するインクはほとんどない。従って、諸特性が改善され且つ１つの特性を改善するのに他の著しい損失を来たさないインク調合物を開発する研究が続けられている。しかしながら、多くの挑戦において、ペンの性能及び信頼性を犠牲にしないでインクジェット印刷画質及び耐光性をさらに改善することは未解決のままである。
【課題を解決するための手段】
【０００７】
特定の組合せで特定のビヒクル成分を用いることで、低染料量のマゼンタ及びシアン染料、及び中位の染料量のブラック染料と共に十分機能する非反応性インクビヒクルを実現できることが認められた。これは、(それぞれそれらの染料成分を含む)前述のインクビヒクルを、アクリレート分散型の顔料系インクを収容するペンとサービスステーションを共用するように設計されているインクジェットペンに用いる際に特に有用である。本発明のインクビヒクルは、これらの及びその他のインクジェットインクとは反応しないため、サービスステーションを共用してもオリフィスでのクラスティング（ｃｒｕｓｔｉｎｇ）を起こさない。
【０００８】
本発明の原理によれば、低染料量のインクジェットインクのための非反応性インクビヒクルは、有効量の水と、当該インクビヒクルが全体で少なくとも２０ｗｔ％の共溶媒を含むという条件付で、重量で１％〜３％の１，５−ペンタンジオール共溶媒と、重量で７．５％〜１５％のトリメチロールプロパン共溶媒と、重量で５％〜８％の第３の共溶媒とから構成することができる。
【０００９】
代替実施形態では、低染料量のインクジェットインクのための非反応性インクビヒクルは、有効量の水と、重量で１％〜３％の１，５−ペンタンジオール共溶媒と、重量で７．５％〜１５％のトリメチロールプロパン共溶媒と、本質的に２−アミノ−２−（ヒドロキシメチル）−１，３−プロパンジオールからなる、重量で０．０５％〜０．２５％の緩衝剤とから構成することができる。
【００１０】
単一のサービスステーションにおいて使用される交換可能なインクジェットペンを備えるシステムは、顔料系インクジェットインクを含む第１のインクジェットペンと、顔料系インクジェットインクと反応しない染料系インクジェットインクを含む第２のインクジェットペンと、第１のインクジェットペンと第２のインクジェットペンを使用し得るよう構成された単一のサービスステーションとから構成することができる。好ましくは、本システムは、交換可能なペンを利用することによって機能することができ、この場合、第１のインクジェットペンを第２のインクジェットペンと、又はその逆に交換する際に、顔料系インクジェットインクと染料系インクジェットインク間での反応が、実質的に、サービスステーション、第１のインクジェットペン、又は第２のインクジェットペンにおいて起こらない。
【発明を実施するための最良の形態】
【００１１】
本願発明を開示、説明する前に、本発明は、本明細書に開示される特定の処理ステップ並びに材料に限定されないことを理解されたい。何故なら、前述の処理ステップ並びに材料は、多少、変更し得るからである。また、本明細書で用いる用語は、特定の実施形態を専ら記述するだけの目的で用いられていることも理解されたい。本願発明の範囲は、添付の特許請求の範囲及びその等価物によってのみ限定されるものとする故、当該用語は、限定することを意図したものではない。
【００１２】
本明細書及び添付の特許請求の範囲において用いる時、単数形「ａ」、「ａｎ」、及び「ｔｈｅ」は、その内容が別途明確に指示されない限り、複数形の意味を包含する。
【００１３】
本明細書で用いるとき、「有効量」とは、所望の効果を達成するのに十分であるところの、物質又は薬剤の最小量を意味する。例えば、「界面活性剤」の有効量とは、本発明の実施形態に従って諸特性を維持する範囲において、染料系インクビヒクルを生成するのに必要となる最小量である。
【００１４】
本明細書で用いるとき、「液体ビヒクル」又は「インクビヒクル」とは、インクを形成するためにその中に着色剤を入れるところのビヒクルを意味する。多くのインクビヒクル及びビヒクル成分は、当分野で知られている。しかしながら、特定の量で特定の成分を使用することで、インクジェットインク特性の改善を実現することができる。典型的なインクビヒクルには、界面活性剤、溶媒、共溶媒、緩衝剤、殺生物剤、金属イオン封鎖剤、粘度修正剤、表面活性剤、及び水のような、様々な各種薬剤からなる混合物が含まれ得る。
【００１５】
「非反応性インクビヒクル」とは、反応性の塩を含んでいないインクビヒクルを意味する。しかしながら、非反応性インクビヒクルと共に使用される染料は、インクジェットインクの調合物が実質的に非反応性になる程にその塩の含量が十分低いという条件付で、塩とし得る。
【００１６】
このことを銘記して、本発明は、インクジェット画像形成の分野に関する。より詳細には、本発明は、低染料量のインクにおける使用に適合し、塩を含まず、且つオリフィスプレートでの液溜まりの低減を実現する、インクジェットインクビヒクルに関する。詳細には、低濃度(３ｗｔ％未満)のマゼンタ又はシアン染料、又は低濃度から中濃度（５ｗｔ％未満）のブラック染料を含む特定のインクジェットインクビヒクルが、８ｗｔ％を越える１，５−ペンタンジオールを含む塩含有インクなどの極めて種々のインクジェットインクを噴射できるよう設計され且つ調整されたプリントヘッドから効果的に噴射できることが認められた。
【００１７】
本発明を実施する際に有用なインクビヒクルの典型的な調合物には、３種の共溶媒が含まれ得る。当該共溶媒は、共溶媒全体の重量割合が２０重量％を上回るという条件付で、重量で１％〜３％の量で存在する１，５−ペンタンジオールと、重量で７．５％〜１５％の量のトリメチロールプロパンと、重量で５％〜８％の量の第３の共溶媒とを含む。本実施形態では、本質的に２−アミノ−２−（ヒドロキシメチル）−１，３−プロパンジオールからなる緩衝剤を任意選択的に含むことができる。
【００１８】
代替実施形態では、低染料量のインクジェットインクのための非反応性インクビヒクルは、有効量の水と、重量で１％〜３％の１，５−ペンタンジオール共溶媒と、重量で７．５％〜１５％のトリメチロールプロパン共溶媒と、本質的に２−アミノ−２−（ヒドロキシメチル）−１，３−プロパンジオールからなる、重量で０．０５％〜０．２５％の緩衝剤とから構成することができる。本実施形態では、任意に第３の共溶媒を存在させ得る。
【００１９】
第３の共溶媒として使用し得る共溶媒の種類には、第３の共溶媒の各々に関して炭素数が１０を越えないという条件付で、脂肪族アルコール、芳香族アルコール、ジオール、グリコールエーテル、ポリグリコールエーテル、ピロリジン、ピロリジノン、及びそれらの混合物が含まれ得る。そのような化合物の例として、第一級脂肪族アルコール、第二級脂肪族アルコール、１，２−アルコール、１，３−アルコール、１，５−アルコール、エチレングリコールアルキルエーテル、プロピレングリコールアルキルエーテル、プロピレングリコールアルキルエーテルの高次の同族体、置換及び未置換のピロリジン、置換及び未置換のピロリジノンなどが挙げられる。第３の共溶媒に関してある程度の変動はあるが、インクビヒクル調合物は、１，５−ペンタンジオールとトリメチロールプロパンを含まなければならない。一実施形態では、第３の共溶媒には、好ましくは２−ピロリジノンを用いることができる。
【００２０】
上述のビヒクル成分に加えて、界面活性剤成分、好ましくは、非イオン界面活性剤と陰イオン界面活性剤との組合せを含有させることができる。界面活性剤成分として、アルキルポリエチレンオキシド、アルキルフェニルポリエチレンオキシド、ポリエチレンオキシドブロックコポリマー、アセチレンポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコンコポリオール、置換アミンオキシドなどを挙げることができる。本発明の調合物に添加する全界面活性剤の量は、重量で１％〜５％の範囲とし得る。一実施形態では、全界面活性剤は、重量で１％〜３％の１つ以上の非イオン界面活性剤と、重量で０．１％〜１％の１つ以上の陰イオン界面活性剤とを含むことができる。一実施形態では、非イオン界面活性剤は、ＴＥＲＧＩＴＯＬ  １５−Ｓ−５、ＴＥＲＧＩＴＯＬ  １５−Ｓ−７、又はそれらの組合せとし得る。他の実施形態では、陰イオン界面活性剤は、例えば、ＤＯＷＦＡＸ  ８３９０とし得る。
【００２１】
インクジェットインク調合物に関しては、保管時並びに作動時に安定なｐＨを維持するのを支援するために緩衝剤を含有することが、多くの場合において好ましい。本発明によれば、幾つかの緩衝剤は、特に非イオン界面活性剤の存在時に、望ましくない諸性質の一因になることがある。例えば、ある種の緩衝剤／非イオン界面活性剤の組合せは、曇り点として知られているものを、非イオン界面活性剤が室温で(又は室温より多少上の温度で)溶液状態でなくなる程度にまで下げることがあり、そのためインクが効率的に使えなくなる場合がある。この原理に従って、本発明のインクビヒクル調合物は機能性に関して特異である故、インクジェットインクの分野で使用されている多くの緩衝剤が使用に適さない。例えば、４−モルホリンエタンスルホン酸(ＭＥＳ)及び４−モルホリンプロパンスルホン酸（ＭＯＰＳ）は、特に１つ以上の非イオン界面活性剤が存在する低染料量の調合物に対して使用される際は、本願のインクビヒクルにとってあまり有用ではない。しかしながら、２−アミノ−２−（ヒドロキシメチル）−１，３−プロパンジオール（ＴＲＩＺＭＡ）を本願のインクビヒクルに用いることで改善された結果を得ることができる。好ましくは、ＴＲＩＺＭＡ緩衝剤を使用する場合、それは重量で０．０５％〜０．２５％存在することができる。一例として、本発明に従ってＴＥＲＧＩＴＯＬ非イオン界面活性剤を含み、ＴＲＩＺＭＡの代わりにＭＯＰＳ又はＭＥＳ緩衝剤を含むインクビヒクルは、４０℃において、非イオン界面活性剤が実際に溶液状態ではなくなり、２つの層が形成され得る。これは、本発明による効率的な使用にとって望ましくないため、インクジェットインクが非イオン界面活性剤成分も含む場合にはＭＯＰＳ及びＭＥＳを使用することは望ましくない。
【００２２】
調合物の残余は純水とし得るが、本開示によってそれらが特に除外されないという条件付で、その他の既知のビヒクル成分を含有させることもできる。本発明の調合と矛盾することなく、その他の種々の添加剤を用いて特定用途に使えるようインク組成物の諸性質を最適化することができる。これらの添加剤の例は、有害微生物の成長を阻害するのに添加されるものである。これらの添加剤は、インクの調合に日常的に用いられるところの、殺生物剤、殺菌剤、及びその他の微生物剤とし得る。適切な微生物剤の例として、限定はしないが、Ｎｕｏｓｅｐｔ（ヌデックス社（Ｎｕｄｅｘ，Ｉｎｃ．））、Ｕｃａｒｃｉｄｅ（ユニオンカーバイド社）、Ｖａｎｃｉｄｅ（Ｒ．Ｔ．ヴァンダービルト（Ｖａｎｄｅｒｂｉｌｔ）社）、Ｐｒｏｘｅｌ（アイシーアイ アメリカ社）、及びそれらの組合せが挙げられる。重金属不純物の悪影響を排除するために、ＥＤＴＡ（エチレンジアミン四酢酸）のような、金属イオン封鎖剤を含有させることもできる。例えば、重量で０．００１％〜２．０％の量を用いることができる。インクの諸性質を望み通りに変性するために、当分野の当業者に周知のその他の添加剤と共に、粘度調節剤も存在させることができる。当該添加剤は、重量で０．０１％〜２０％存在させることができる。
【００２３】
上記のインクビヒクル組成物に加えて、単一のサービスステーションにおいて使用される交換可能なインクジェットペンを備えるシステムは、顔料系インクジェットインクを含む第１のインクジェットペンを含むことができる。顔料系インクジェットインクは、要求されるものではないが、アクリレート分散剤を含むことができる。また、当該システムは、顔料系インクジェットインクと反応しない染料系インクジェットインクを含む第２のインクジェットペンを含むことができる。そのような染料系インクジェットインクは、重量で０．１％〜４％の染料と、顔料系インクジェットインクと反応しないインクビヒクルとから構成することができ、この場合、当該インクビヒクルは、重量で１％〜３％の１，５−ペンタンジオール共溶媒と、重量で７．５％〜１５％のトリメチロールプロパン共溶媒とを含む。さらに、第１のインクジェットペンと第２のインクジェットペンを使用し得るよう構成された単一のサービスステーションを存在させることができる。好ましくは、本システムは、交換可能なペンを利用することによって機能し得、この場合、顔料系インクジェットインクと染料系インクジェットインクとの間の反応は、実質的に、サービスステーション、第１のインクジェットペン、又は第２のインクジェットペンで起こらない。一実施形態では、第１のインクジェットペンの使用及び除去後に単一のサービスステーションに残っている残余の顔料系インクジェットインクはどれも、単一サービスステーションにおける第２のインクジェットペンの使用時に染料系インクジェットインクと実質的に反応してはならない。他の実施形態では、第２のインクジェットペンの使用及び除去後に単一のサービスステーションに残っている残余の染料系インクジェットインクは、単一サービスステーションにおける第１のインクジェットインクの使用時に顔料系インクジェットインクと実質的に反応してはならない。
【００２４】
上記システムに関して説明した構成は、多くの目的にとって有用であり得る。例えば、染料系シアン、染料系マゼンタ、染料系イエロー、及び顔料系ブラックからなる４色印刷システムは、普通紙上での一般的カラー印刷に効果的であり得る。当該顔料系ブラックは、普通紙上で濃厚なブラックを得るために見事に機能する。しかしながら、（ＨＰ  Ｐｈｏｔｏ  Ｐｒｅｍｉｕｍｕ  ｐｒｕｓ  ｐａｐｅｒのような）光沢のある写真媒体上にフルカラー画像を印刷する場合には、ブラック顔料系インクジェットインクを使用することは、それ程望ましくない。この状況では、ブラック顔料系インクジェットインクを含むペンは、本発明のビヒクルを含んで成る染料系インクジェットインクを含むペンと置き換えることができる。要するに、本発明のインクビヒクルは反応性の塩を含んでいないため、そのペンを、オリフィスプレート又はサービスステーションにおける望ましくない反応の諸性質、例えばクラスティング、の無い状態で顔料系インクジェットインクペンと交換することができる。
【００２５】
代替実施形態では、シアン、マゼンタ、及びイエローからなる同じ３ペン染料系インクジェットインクセットをブラック顔料系インクジェットインクと共に用いることができる。ブラック顔料系インクジェットインクを、シアン染料系インクジェットインク、マゼンタ染料系インクジェットインク、及びブラック染料系インクジェットインクと置き換えて、６インクの染料系インクセット、即ち、２つのシアン、２つのマゼンタ、１つのイエロー、及び１つのブラックを与えることができる。従って、普通紙の印刷では、３つの標準の染料系インクを１つの顔料系インクと共にプリントすることができ、普通紙上で濃厚なブラック及びカラーの画像をもたらす。あるいはまた、主として染料系インク用に設計された写真紙上に印刷する際には、３つの標準の染料系インクを、追加の非反応性染料系のシアンインク、追加の非反応性染料系のマゼンタインク、及び非反応性染料系のブラックインクと共に印刷することができる。本発明のビヒクルと反応しない、使用可能な代表的な顔料系インクジェットインクは、参照することで本明細書に取り入れることとする、米国特許第５，３０２，１９７号に記載されている。
【００２６】
実施例
以下の実施例は、現時点で最もよく知られている本発明の実施形態を説明するものである。しかしながら、以下は、本発明の原理の応用について単に例示又は説明するものにすぎないことを理解されたい。本発明の趣旨及び範囲から逸脱することなく、多数の修正並びに代替の組成、方法、及びシステムを当業者は案出することができよう。添付の特許請求の範囲は、そのような修正並びに配置構成を網羅すべく意図されたものである。従って、本発明を特定のものに関して上述してきたが、以下の実施例は、現時点で、本発明の最も実用的で且つ好ましい実施形態と思われるものに関してさらに詳述するものである。
【実施例１】
【００２７】
本発明の実施形態による種々のインクジェットインクの調製
以下の表１−３に従って、３種のインクジェットインクを調製した。
【００２８】
【表１】
2005520030.tif 000002
【００２９】
【表２】
2005520030.tif 000003
【００３０】
【表３】
2005520030.tif 000004
【００３１】
上の表１−３で与えられたこれら３種の低〜中位の染料量のインクジェットインクは、より高い染料量のインクセットと共に用いることができるが、ヒューレット−パッカード部品番号ＨＰ  Ｃ６６５７Ａによって識別される高い染料量のインクセットと共に用いる際に特に有用であることが示された。加えて、表１−３のインクのインクビヒクルの性質に起因して、単一のサービスステーションをブラック顔料系インクジェットインクと共用することができる。一実施形態では、各々が本発明によるインクビヒクルを含む、表１−３の３種全てのインクジェットインクをＨＰ  Ｃ６６５７Ａのインクセットの３つのインクと共に用いる場合に、共に十分機能するところの６インクのインクセットを構成することができる。さらに、インクジェットペンに収容された表１−３のインクは何れも、たとえブラック顔料系インクジェットインクがアクリレート分散剤を含んでいる場合でも、ブラック顔料系インクジェットインクを含むインクジェットインクペンと交換することができる。例えば、ブラック顔料系インクジェットインクペンは、ヒューレット−パッカード社で製造された、ペン番号Ｃ６６５８Ａを具備しているもののような、ブラック顔料系インクジェットインクを含むペンをはじめとする、表１−３のインクジェットインクを含むペンと交換することができる。これらの利点に加えて、表１−３に従って調製したインクは、優れた耐光性、色相、彩度、及び明度を示す低位から中位の染料量のインクジェットインクをもたらす。
【００３２】
一定の好ましい実施形態を参照して本発明を説明してきたが、本発明の趣旨から逸脱することなく様々な修正、変更、省略、及び置換を成し得ることは、当業者には明らかであろう。それ故、本発明は、添付の特許請求の範囲によってのみ限定されるものとする。
【国際調査報告】
2005520030.tif 000005
2005520030.tif 000006
2005520030.tif 000007